(57)【要約】【課題】簡易な構成により、長期にわたってケーブルの良好な状態（健全性）を維持することができる導子及びこれを備える電子治療器を提供すること。【解決手段】患部に電気信号を印加することにより治療を行う電子治療器の治療器本体部に接続される導子３であって、前記患部に取り付けられ、前記患部に電気信号を印加する端子部６と、前記端子部６から延ばされ、前記治療器本体部に接続されるケーブル７と、前記ケーブル７の少なくとも一端側に設けられ、前記ケーブル７の端部を覆うブッシュ部１２とを備え、少なくとも一方の前記ブッシュ部１２の開口端１２ａの内径寸法ｄ１は、前記ケーブル７の外径寸法ｄ２よりも大きくなっていることを特徴とする。【選択図】図２
2008104518.tif 000002
【特許請求の範囲】
【請求項１】
患部に電気信号を印加することにより治療を行う電子治療器の治療器本体部に接続される導子であって、
前記患部に取り付けられ、前記患部に電気信号を印加する端子部と、
前記端子部から延ばされ、前記治療器本体部に接続されるケーブルと、
前記ケーブルの少なくとも一端側に設けられ、前記ケーブルの端部を覆うブッシュ部と
を備え、
少なくとも一方の前記ブッシュ部の開口端の内径寸法は、前記ケーブルの外径寸法よりも大きくなっていることを特徴とする導子。
【請求項２】
患部に電気信号を印加することにより治療を行う電子治療器の治療器本体部に接続される導子であって、
前記患部に取り付けられ、前記患部に電気信号を印加する端子部と、
前記端子部から延ばされ、前記治療器本体部に接続されるケーブルと、
前記ケーブルの少なくとも一端側に設けられ、前記ケーブルの端部を覆うブッシュ部と
を備え、
前記ケーブルの外周面と、少なくとも一方の前記ブッシュ部の開口端の内周面との間には、前記ケーブルに曲げ応力がかけられたときに、前記ブッシュ部の内部において前記ブッシュ部の径方向に前記ケーブルを移動させるためのクリアランスが設けられていることを特徴とする導子。
【請求項３】
前記ブッシュ部は、弾性変形可能であることを特徴とする請求項１又は請求項２に記載の導子。
【請求項４】
前記ブッシュ部は、螺旋状に巻回されて形成されていることを特徴とする請求項３に記載の導子。
【請求項５】
前記治療器本体部と、
請求項１から請求項４のいずれか一項に記載の導子と
を備えることを特徴とする電子治療器。
【発明の詳細な説明】
【技術分野】
【０００１】
本発明は、導子及びこれを備える電子治療器に関する。
【背景技術】
【０００２】
従来より、長尺状のケーブルと、このケーブルの先端に設けられたコネクタ部と、これらケーブルとコネクタ部との境界部分（連結部）に設けられたブッシュ部とを備えた各種電子機器が知られている。
このようなケーブルは、ケーブル自体に曲げ応力がかかると、ケーブルが、ブッシュ部の先端において局部的に屈曲してしまい、ケーブルが断線してしまう。
そこで、ブッシュ部に取り付けられるケーブル断線防止器が提案されている（例えば、特許文献１参照。）。このケーブル断線防止器は、先端部分が湾曲しケーブルが載せられる支え部と、ブッシュ部に取り付けるための取り付け部とを備えるものである。
【特許文献１】特開平１１−５４２０２号公報
【発明の開示】
【発明が解決しようとする課題】
【０００３】
しかしながら、上記のような特許文献１に記載のケーブル断線防止器では、支え部の先端部分においてケーブルを支持することにより、ケーブルの曲げ応力をある程度分散させることができるものの、支え部の先端部分においてケーブルが屈曲してしまうため、長期にわたって使用すると、ケーブルが支え部の先端部分において断線してしまうという問題がある。
また、支え部によって支えられる方向に向けてケーブルに曲げ応力がかかる場合には、そのケーブルは支え部によって支持されるものの、上記と異なる方向に向けて曲げ応力がかかる場合には、ケーブルが支え部によって支持されないため、長期にわたって使用すると、ケーブルが、ブッシュ部の先端において局部的に屈曲してしまい、ケーブルが断線してしまうという問題がある。
さらに、ケーブル断線防止器という別部材を設ける必要があるため、材料費の増大や製造工数の増加を招いてしまうという問題もある。
【０００４】
本発明は、このような事情に鑑みてなされたものであって、簡易な構成により、長期にわたってケーブルの良好な状態（健全性）を維持することができる導子及びこれを備える電子治療器を提供することを目的とする。
【課題を解決するための手段】
【０００５】
上記課題を解決するために、本発明は以下の手段を提供する。
本発明は、患部に電気信号を印加することにより治療を行う電子治療器の治療器本体部に接続される導子であって、前記患部に取り付けられ、前記患部に電気信号を印加する端子部と、前記端子部から延ばされ、前記治療器本体部に接続されるケーブルと、前記ケーブルの少なくとも一端側に設けられ、前記ケーブルの端部を覆うブッシュ部とを備え、少なくとも一方の前記ブッシュ部の開口端の内径寸法は、前記ケーブルの外径寸法よりも大きくなっていることを特徴とする。
【０００６】
この発明によれば、ブッシュ部内においてケーブルを径方向に移動させることができ、そのため、ケーブルに曲げ応力がかかったときに、ケーブルを緩やかに曲げることができる。
【０００７】
また、本発明は、患部に電気信号を印加することにより治療を行う電子治療器の治療器本体部に接続される導子であって、前記患部に取り付けられ、前記患部に電気信号を印加する端子部と、前記端子部から延ばされ、前記治療器本体部に接続されるケーブルと、前記ケーブルの少なくとも一端側に設けられ、前記ケーブルの端部を覆うブッシュ部とを備え、前記ケーブルの外周面と、少なくとも一方の前記ブッシュ部の開口端の内周面との間には、前記ケーブルに曲げ応力がかけられたときに、前記ブッシュ部の内部において前記ブッシュ部の径方向に前記ケーブルを移動させるためのクリアランスが設けられていることを特徴とする。
【０００８】
この発明によれば、ブッシュ部内においてケーブルを径方向に移動させることができ、そのため、ケーブルに曲げ応力がかかったときに、ケーブルを緩やかに曲げることができる。
【０００９】
また、本発明は、前記ブッシュ部は、弾性変形可能であることを特徴とする。
【００１０】
この発明においては、ケーブルの移動に合わせて、ブッシュ部が弾性変形する。
これにより、ケーブルをより緩やかに曲げることができる。
【００１１】
また、本発明は、前記ブッシュ部は、螺旋状に巻回されて形成されていることを特徴とする。
【００１２】
この発明においては、ケーブルの移動に合わせて、ブッシュ部が容易に弾性変形する。
これにより、ケーブルをより緩やかに曲げることができる。
【００１３】
また、本発明は、前記治療器本体部と、請求項１から請求項４のいずれか一項に記載の導子とを備えることを特徴とする。
【００１４】
この発明によれば、請求項１から請求項４のいずれか一項に記載の導子と同様の効果を奏することができる。
【発明の効果】
【００１５】
本発明によれば、ケーブルに曲げ応力がかかったときに、ブッシュ部の内部においてケーブルを径方向に自由に移動させることができ、ケーブルを緩やかに曲げることができることから、簡易な構成により、長期にわたってケーブルの良好な状態を維持することができる。
【発明を実施するための最良の形態】
【００１６】
（実施形態１）
以下、本発明の第１の実施形態における電子治療器について、図面を参照して説明する。
図１は、本発明の第１の実施形態としての電子治療器を示したものである。
電子治療器１は、所定の周波数の電気信号を発生させる電気信号発生手段（不図示）が内蔵された治療器本体２と、この治療器本体２に接続される導子３とを備えている。
【００１７】
治療器本体２は、略直方体形状に構成されており、長手方向の一端は円弧状にして形成されている。治療器本体２の前面部には、電気信号の強さや印加時間などを表示する表示部８が設けられている。表示部８の近傍には、各種操作を行うための操作部１０が設けられている。
また、治療器本体２の全面部のうち長手方向の他端部には、導子３を取り付けるための取り付け口４が設けられている。
【００１８】
導子３は、図２に示すように、長尺状のケーブル７を備えている。ケーブル７は、一対の線部７ａ，７ｂを備えている。ケーブル７は、その基端部Ｐ１から長さ方向の途中位置Ｐ２まで線部７ａ，７ｂが連結され、さらに途中位置Ｐ２から先端部Ｐ３まではそれぞれ分岐されて構成されている。すなわち、線部７ａ，７ｂは、途中位置Ｐ２から先端部Ｐ３までは、連結されずに解放され互いにフリーになっている。線部７ａ，７ｂの先端部Ｐ３には、それぞれ矩形状の電極端子（端子部）６が設けられている。電極端子６は、患部に貼り付けられた状態で、その患部に電気信号を印加するようになっている。
【００１９】
線部７ａ，７ｂの基端部Ｐ１には、治療器本体２の取り付け口に連結されるコネクタ１３が設けられている。コネクタ１３には、一対の電極１５が設けられている。
このような構成のもと、治療器本体２の取り付け口にコネクタ１３を連結することにより、導子３が治療器本体２に着脱可能に接続されるようになっている。そして、導子３が治療器本体２に接続されると、電極端子６と治療器本体２の電気信号発生手段とが、電極１５及び線部７ａ，７ｂ内の金属線を介して電気的に接続されるようになっている。
【００２０】
さらに、線部７ａ，７ｂの基端部Ｐ１（ケーブル７とコネクタ１３との連結部分）には、基端部Ｐ１を覆う円筒状のコネクタブッシュ（ブッシュ部）１２が設けられている。コネクタブッシュ１２は、弾性変形可能な樹脂からなっている。また、コネクタブッシュ１２の開口端１２ａの内径寸法ｄ１は、ケーブル７の外径寸法ｄ２よりも大きくなっている。すなわち、開口端１２ａの開口面積は、ケーブル７の横断面積よりも大きくなっている。そのため、開口端１２ａの内周面とケーブル７の外周面との間には、所定のクリアランスＣが形成されている。
【００２１】
次に、このように構成された本実施形態における電子治療器１の作用について説明する。
まず、コネクタ１３を取り付け口４に差し込んで導子３を治療器本体２に接続する。これにより、治療器本体２の電気信号発生手段と電極端子６とが、電極１５及び線部７ａ，７ｂの金属線を介して電気的に接続される。この状態で、電極端子６を患部に貼り付ける。そして、操作部１０を操作して、電気信号発生手段を駆動する。すると、電気信号発生手段によって所定の周波数の電気信号が生成され、その電気信号が、電極１５、線部７ａ，７ｂの金属線及び電極端子６を介して患部に印加される。これにより、患部の治療が行われる。
【００２２】
ここで、従来は、ケーブルに曲げ応力がかかると、ケーブルの基端部が局部的に屈曲してしまうことがあった。
本実施形態における電子治療器１によれば、以下のようにして、ケーブルの局部的な屈曲が防止される。
すなわち、図３に示すように、ケーブル７に曲げ応力がかかると、ケーブル７は、コネクタブッシュ１２内において、コネクタブッシュ１２の径方向（例えば、図３に示す矢印Ｄ）に移動する。すなわち、コネクタブッシュ１２内において、ケーブル７はコネクタブッシュ１２の内面に対して傾斜する。換言すれば、ケーブル７は、曲げ応力に応じて、開口端１２ａの全周にわたってクリアランスＣ内で自由に移動する。そのため、ケーブル７は、その基端Ｐ４から緩やかな曲線を描いて開口端１２ａを介して延ばされた状態となる。したがって、曲げ応力がケーブル７の長さ方向に分散され、局部的な屈曲が防止される。
【００２３】
以上より、本実施形態における電子治療器１によれば、クリアランスＣ内においてケーブル７を自由に移動させることにより、ケーブル７の局部的な屈曲を防止することができることから、長期にわたってケーブルの良好な状態を維持することができる。
なお、ケーブル７に、所定値以下の曲げ応力がかかっても、クリアランスＣ内を自由に移動するだけで、コネクタブッシュ１２の抗屈曲力による影響を回避することができる。
また、ケーブル断線防止器などのような別部材を設ける必要もなく、経済性を向上させることができる。
【００２４】
また、コネクタブッシュ１２は、弾性変形可能な部材からなっていることから、ケーブル７の移動に合わせて、コネクタブッシュ１２を弾性変形させることができ、ケーブル７をより緩やかに曲げることができる。そのため、ケーブル７の耐久性をさらに向上させることができる。
【００２５】
（実施形態２）
次に、本発明の第２の実施形態について説明する。
図４及び図５は、本発明の第２の実施形態を示したものである。
図４及び図５において、図１から図３に記載の構成要素と同一部分については同一符号を付し、その説明を省略する。
この実施形態と上記第１の実施形態とは基本的構成は同一であり、ここでは異なる点についてのみ説明する。
【００２６】
本実施形態においては、コネクタブッシュ（ブッシュ部）１２ｂが、螺旋状に巻回されて形成されている。すなわち、コネクタブッシュ１２ｂは、樹脂成型によって、螺旋状にして形成されるものである。
このような構成のもと、ケーブル７に曲げ応力がかかると、図５に示すように、その曲げ応力に応じて、コネクタブッシュ１２ｂが容易に弾性変形する。
そのため、ケーブル７をさらに緩やかに曲げることができ、ケーブル７の耐久性を向上させることができる。
【００２７】
なお、上記第１及び第２の実施形態においては、コネクタブッシュ１２，１２ｂが円筒状であるとしたが、これに限ることはなく、その形状は適宜変更可能である。例えば、図６に示すように、コネクタブッシュ（ブッシュ部）１２ｃの基端部を細径部とし、この細径部から開口端１２ａに向かうにつれて径を漸次大きくして形成してもよい。これにより、細径部によってケーブル７を支持することができる。
【００２８】
また、上記第１及び第２の実施形態においては、ケーブル７の一端側のみにブッシュ部を設けるとしたが、これに限ることはなく、ケーブル７の一端側に加えて他端側にも（すなわちケーブル７の両端に）ブッシュ部を設けるようにしてもよい。例えば、図７に示すように、ケーブル７の先端部Ｐ３に、この先端部Ｐ３を覆うコードブッシュ（ブッシュ部）１７を設けるようにしてもよい。コードブッシュ１７の構成は、上記第１及び第２の実施形態の構成や図６に示す構成などと同様である。さらに、ケーブル７の一端（基端）側のコネクタブッシュ１２を設けることなく、ケーブル７の他端（先端）側のみにコードブッシュ１７を設けるようにしてもよい。すなわち、ケーブル７の両端のうち、少なくともいずれか一方にブッシュ部を設ければよい。
なお、本発明の技術範囲は上記の実施形態に限定されるものではなく、本発明の趣旨を逸脱しない範囲において、種々の変更を加えることが可能である。
【図面の簡単な説明】
【００２９】
【図１】本発明に係る電子治療器の第１の実施形態を示す全体構成図である。
【図２】図１の導子を拡大して示す平面図である。
【図３】図１のケーブルの先端部を拡大して示す図であって、ケーブルが緩やかに曲がる様子を示す説明図である。
【図４】本発明に係る電子治療器の第２の実施形態を示す図であって、導子の様子を示す平面図である。
【図５】図４のケーブルの先端部を拡大して示す図であって、ケーブルが緩やかに曲がる様子を示す説明図である。
【図６】図３のコネクタブッシュの変形例を示す説明図である。
【図７】図２の導子の変形例を示す説明図である。
【符号の説明】
【００３０】
１    電子治療器
２    治療器本体
３    導子
６    電極端子（端子部）
７    ケーブル
１２，１２ｂ，１２ｃ  コネクタブッシュ（ブッシュ部）
１２ａ  開口端
１７  コードブッシュ（ブッシュ部）
Ｃ    クリアランス
ｄ１  内径寸法
ｄ２  外径寸法
【図１】
2008104518.tif 000003
【図２】
2008104518.tif 000004
【図３】
2008104518.tif 000005
【図４】
2008104518.tif 000006
【図５】
2008104518.tif 000007
【図６】
2008104518.tif 000008
【図７】
2008104518.tif 000009